(57)【要約】【課題】  バットジョイント相当の略均質な構造を構成することができ、かつ十分な接合強度を得ることができるコード入りゴムシート片の接合方法を供する。【解決手段】  コードが略等間隔に埋設されたゴムシート片をコードの指向する方向と直角方向に順次接合するコード入りゴムシート片の接合方法であって、一方のゴムシート片１の最外側のコード２ｂより外側の後端部１ｂに他方のゴムシート片１の最外側のコード２ａより外側の前端部１ａを重ね合わせ、前記重ね合わせた重畳部を押しつぶして接合するコード入りゴムシート片の接合方法。【選択図】  図３
2006076117.tif 000002
【特許請求の範囲】
【請求項１】
コードが略等間隔に埋設されたゴムシート片をコードの指向する方向と直角方向に順次接合するコード入りゴムシート片の接合方法であって、
一方のゴムシート片の最外側のコードより外側の後端部に他方のゴムシート片の最外側のコードより外側の前端部を重ね合わせ、
前記重ね合わせた重畳部を押しつぶして接合することを特徴とするコード入りゴムシート片の接合方法。
【発明の詳細な説明】
【技術分野】
【０００１】
本発明は、コードが略等間隔に埋設されたゴムシート片を順次連結する場合の接合方法に関する。
【背景技術】
【０００２】
コードが略等間隔に埋設されたゴムシート片を順次連結してプライ等のタイヤ構成部材を製造する場合、従来ゴムシート片どうしを接合する方法にゴムシート片の端面どうしを突き合わせて接合するバットジョイントを前提に種々の方法が採用されていた。
【０００３】
バットジョイントは、接合部が他の部分とあまり変わりない略均質な構造に形成される反面、ゴムシート片の端面の凹凸などによりエアが接合部に含まれて接合が完全でなく十分な接合強度を得られないなどの問題点がある。
【０００４】
そこで、ゴムシート片の端部どうしを重ね合わせるラップジョイントの方法が、既に提案されており、そのラップジョイントは通常２本以上のコードを含む端部どうしが重ね合わされて接合されるのが一般的であった（例えば、特許文献１参照）。
【特許文献１】特開平１−２３４１６０号公報
【０００５】
しかし、重ね合わせの重畳部分の幅が大きく、押圧によっても重畳部の構造を他と均質に近い状態にすることは難しい。
【０００６】
そこで、最外側のコードが１本重なるようにして端部どうしを重ね合わせ、重畳部を押圧して接合する方法が、本出願人により提案された（特許文献２参照）。
【特許文献２】特開２００４−０５８３２８号公報
【０００７】
同特許文献１に開示されたゴムシート片の接合方法は、最外側のコードだけが上下に重なるようにして端部どうしを重ね合わせることで、加硫後に上下に位置していたコードが互いにずれて並びバットジョイントと同じようなコード配列ができるとするものである。
【発明の開示】
【発明が解決しようとする課題】
【０００８】
しかし、加硫後に上下に位置していたコードが互いにずれて並ぶとしても、他のコード間隔と比較して互いに近接した位置関係にあることは避けられず、その点バットジョイントのごとく接合部が他の部分とあまり変わりない略均質な構造というわけにはいかない。
【０００９】
本発明は、かかる点に鑑みなされたもので、その目的とする処は、バットジョイント相当の略均質な構造を構成することができ、かつ十分な接合強度を得ることができるコード入りゴムシート片の接合方法を供する点にある。
【課題を解決するための手段】
【００１０】
上記目的を達成するために、請求項１記載のコード入りゴムシート片の接合方法は、コードが略等間隔に埋設されたゴムシート片をコードの指向する方向と直角方向に順次接合するコード入りゴムシート片の接合方法であって、一方のゴムシート片の最外側のコードより外側の後端部に他方のゴムシート片の最外側のコードより外側の前端部を重ね合わせ、前記重ね合わせた重畳部を押しつぶして接合することを特徴とする。
【作用効果】
【００１１】
請求項１記載のゴムシート片の接合方法によれば、一方のゴムシート片の最外側のコードより外側の後端部に他方のゴムシート片の最外側のコードより外側の前端部を重ね合わせるので、その重畳部ではコードが重なっておらずエアをかみ込むこともなく、十分な接合強度を得ることができる。
【００１２】
そして、同重畳部の押しつぶしもコードが重なっていないので容易であるとともに、接合部でコードが互いに近接することもなくバットジョイント相当の段差の殆どない均質な接合部を形成することができる。
【発明を実施するための最良の形態】
【００１３】
以下、本発明に係る一実施の形態について図１ないし図３に基づいて説明する。
本実施の形態は、タイヤ構成部材であるプライを形成する過程におけるゴムシート片１の接合に係る。
図１は、その接合装置10の概略図である。
【００１４】
接合装置10は、一対のプーリ12，13間に架渡された無端状のベルト14よりなるベルトコンベア11のベルト14上でゴムシート片１が順次連結されてプライが形成される。
ゴムシート片１は、短冊状をしていて、内部にスチールまたは樹脂製のコード２が長尺方向に指向して略等間隔に多数本埋設されている。
【００１５】
図２に示すように、ゴムシート片１は一定幅長Ｗの中に一定ピッチｐでコード２が埋設されている。
ゴムシート片１における最外側のコード２ａ，２ｂから端縁までの両端部１ａ，１ｂはピッチｐより若干小さい幅長ｗを有する。
【００１６】
図１参照して、ベルトコンベア11のベルト14の所定箇所上方には、ベルト14の幅方向に亘って長尺の直方体状のジョイント押えバー20が昇降自在に設けられている。
このジョイント押えバー20の下方でベルト14の上側を回動する部分の下面に沿って受け部材21が設けられている。
したがって、ジョイント押えバー20が下降すると、受け部材21との間でベルト14を挟むことができる構造である。
【００１７】
このジョイント押えバー20の下方のベルト14の上に、ゴムシート片１がベルト14の側方から挿し込まれて所定位置に載置される。
このゴムシート片１が載置される所定位置は、載置された同ゴムシート片１の前端部１ａの上方にジョイント押えバー20があり、下方に受け部材21がある位置である。
【００１８】
そして、ゴムシート片１がベルト14上に載置されるたびに、ベルトコンベア11は、ベルト14を一定距離ｄだけ移動して停止し、ベルト14に載置されたゴムシート片１を間欠的に搬送する。
【００１９】
このゴムシート片１を移動させる距離ｄをゴムシート片１の幅長Ｗより端部１ａの幅長ｗを引いた距離（Ｗ−ｗ）とすると、ベルト14に載置され同距離ｄ（＝Ｗ−ｗ）だけ移動したゴムシート片１は、図３（１）に示すように、後端部１ｂの上方にジョイント押えバー20が位置している。
【００２０】
そして、後から挿し込まれる後行のゴムシート片１は、図３（１）に示すように、前端部１ａが先行のゴムシート片１の後端部１ｂの上に位置し、図３（２）に示すように、後行のゴムシート片１が載置されると、先行のゴムシート片１の後端部１ｂの上に後行のゴムシート片１の前端部１ａが重なり合う。
【００２１】
この両者の重畳部１ａ，１ｂの上方にはジョイント押えバー20が、下方には受け部材21が位置しているので、ジョイント押えバー20が下降して受け部材21（およびベルト14）との間で、この重畳部１ａ，１ｂを挟み、さらに押圧して図３（３）に示すように、重畳部１ａ，１ｂを押しつぶすと、接合面が傾斜面をなして両者が接合される。
【００２２】
図３（３）を参照して、接合部は、段差が殆どなく、先行のゴムシート片１の後方最外側のコード１ｂと後行のゴムシート片１の前方最外側のコード１ａとの間隔は、両端部１ａ，１ｂの幅長ｗより若干拡大して略コードピッチｐに近い幅長となる。
【００２３】
すなわち、接合部は、接合面が傾斜しているが段差は殆どなく、コードどうしが近接することなくコードピッチｐが維持されるので、バットジョイント相当の均質な接合部を形成している。
【００２４】
しかも、重畳部１ａ，１ｂは、滑らかな平面どうしが重なり押圧されるので、エアの噛み込みがなく、十分な接合強度を確保することができるというラップジョイントとしての利点も維持している。
【００２５】
以上のような接合作業が、ゴムシート片１のベルト14上への載置と搬送との間に実行される。
したがって、ベルト14上へのゴムシート片１の載置、接合、搬送が順次繰返し行われて所定長さのプライが形成される。
【００２６】
形成されたプライは、その接合部が均質で十分な接合強度を有する品質の高いものであるので、同プライを用いて製造されたタイヤはそのユニフォミティに優れている。
【００２７】
以上の実施の形態では、ベルトコンベア11のベルト14上でゴムシート片１の接合を行っていたが、成型ドラムにプライを転写する転写ドラム上でゴムシート片１の接合を行ってもよい。
【００２８】
その場合は、転写ドラムの上面にゴムシート片１を回転軸方向に指向させて載置し、先行のゴムシート片１との重畳部を押しつぶして接合し、所定角度（周距離が前記距離ｄ）だけ回転して停止し、新たなゴムシート片１を載置することを順次繰り返して転写ドラム上にプライを形成する。
【００２９】
また、前記実施の形態ではゴムシート片１どうしの重畳部を押圧して押しつぶすのに、ジョイント押えバー20を用いたが、圧着ローラを用いてもよく、その場合、圧着ローラは重畳部を押圧しながら転動して重畳部を押しつぶして接合する。
【図面の簡単な説明】
【００３０】
【図１】本発明の一実施の形態に係る接合装置の概略斜視図である。
【図２】ゴムシート片の拡大側面図である。
【図３】接合装置における接合作業の過程を示す拡大側面図である。
【符号の説明】
【００３１】
１…ゴムシート片、２…コード、
10…接合装置、11…ベルトコンベア、12…プーリ、14…ベルト、
20…ジョイント押えバー、21…受け部材。
【図１】
2006076117.tif 000003
【図２】
2006076117.tif 000004
【図３】
2006076117.tif 000005